(57)【要約】      （修正有）【課題】野菜などマナ板の上で切った蔬菜を煮鍋などの中に入れる時に使用が可能とする。【解決手段】底辺に比べて充分に長い斜辺の二等辺三角形の頂部を、底辺に平行に且、底辺より短く切り取った上辺で形成される、細長い台形の薄い金属板の一方の面を内側にして底辺から上辺に向かって連続的に曲率半径を小さくして約９０度の範囲で湾曲した掻き寄せ部を有し、底辺から下方に約３０度外側に折り曲げた柄付け部に柄を設ける。【選択図】図１
0003131304.tif 000002
【実用新案登録請求の範囲】
【請求項１】
鍋移しの本体の形状には一枚の約１．０ｍｍ〜１．２ｍｍを基準とするごく微妙なアルミ薄板を設けて長方形にしたものに対し、用途に適合する為の傾斜角度を持たせる為、長方形本体の根本部を幅広にし、本体先端に向かって次第に幅となっている為本体全体が傾斜状に成り更に本体中央全体には、一本の凹凸状の凹み筋の線を設けている為、アルミ薄板の強化を更に補持している。従って鍋移しの機能を充実するに当って、長方形のアルミ板に対し、本体内側面に向かって、やや変形となる湾曲形状に、ほどよく曲げたアルミ本体の湾曲形態を特徴としている。鍋移しの本体。
【考案の詳細な説明】
【考案の詳細な説明】
【技術分野】
【０００１】  本考案は、鍋移しの本体に摘要する為、約１．０ｍｍ〜１．２ｍｍ基準のアルミ薄板に対し、用途に可能となる本体、全体が傾斜状と共に、湾曲状にもなっている。従って本体湾曲の強度保持の為、湾曲する内側面全体に添って一本の凹凸状の中凹み筋を設け湾曲本体に対して強度を保持している。鍋移しに関するものである。
【背景技術】
【０００２】  一般には、マナ板の上で切った野菜等の蔬菜は既にマナ板の上では、散乱常態となっている事が多い。従って、この常態の蔬菜を一旦煮鍋の中に移そうとする時点では、両手、又は、庖丁を使って移す事が唯一の手段として常識になっていた。
【考案が解決しようとする課題】
【０００３】  従来の鍋移しとなる本体の素材には、ステンレス、バネ鋼を用いた為素材の関係上、鍋移しの湾曲形態に対し、極めて堅いバネの癖が出る事に依り、湾曲状に無理となっていた。従って今回は、一枚の比較的軽く堅い材質のアルミ薄板を設け更に湾曲の本体の内側面全体に添って一本の凹凸状の中凹み筋線を設けている事に依り、アルミ本体全体の強度を補持している。従って野菜等の蔬菜をマナ板の上から煮鍋等に移す瞬間には軽いアルミの本体の機能に依って極めて簡潔に作業が好転し可能となるため、前述の欠点を解決しようとするものである。
【課題を解決する為の手段】
【０００４】  本考案の鍋移しは、一般用途上軽くて堅い一枚のアルミ板の素質を基に使用可能となる為本体に湾曲及び傾斜を持たせ、更に湾曲内側全体中央に添って一本のやや太いめの凹凸の中凹み筋を設けて鍋移し全体板の強化を補足する様になっている。従って鍋移し実行時に備えて本体根本の幅広部付近に対し、○穴を設けて有り、この○穴に依って本体、及び取手となる上質プラスチックの握りとを一体化させて接続可能にする為の○穴となっているところが問題点を解決している。
【考案を実施するための最良の形態】
【０００５】  鍋移しの本体は軽量化を要としている為極薄１．０ｍｍ〜１．２ｍｍ基準となるアルミ板で構成し、且つ、鍋移しに適す度合いの角度を有する湾曲形本体に対し、更に用途に的す為の傾斜を持った本体には、中央全体に添って一本の中凹筋を設けている為本体全体の強度化を保持して、一段と鍋移し機能を充実している。従って、実際の鍋移し時には、既にマナ板の上の蔬菜は散乱常態の時であっても、鍋移しに依る湾曲機能に依って蔬菜が思いのままに湾曲中央に寄せ集められ乍ら瞬間的にそさいは煮鍋等に移される極めて、簡潔となる鍋移し。
【実施例】
【０００６】以下添付図面に従って一実例を説明する。
１は、軽い一枚のアルミ板の湾曲と共に本体根本部が幅広く、先端部は幅細に依り本体全体が傾斜状の角度を有すものとなり、更に本体中央に一本の凹み筋を有し、この筋に依って本体全体の強化を補足している。
２は、本体根の幅広部とする所。
３は、２に共通の本体先細部。２、３、に依り湾曲に角度を持たせ有り。
４は、湾曲中央に一本の中凹み筋に依り湾曲全体の強度を補持している重要なる筋。
５は、本体幅広付近の○穴に依り、取手と接続する○穴
６は、本体湾曲の外側全体。
７は、本体外側中央の中高、突起線。
８は、良質プラスチックの取手握り。
９は、取手の中間の握り手のスベリ防止窪み（凹）
１０は、鍋移し後の整理掛け穴。
【考案の効果】
上述の様に、本考案の鍋移しは台所炊事用具であり、一枚のアルミ薄板に対し、湾曲形態及び一本の凹凸窪み筋を設けてアルミ板の強化を保持する様に構成されている丈に、本体の構造面では極めて単純且つ簡素に成っているが、衛生面と共に清潔感は総てアルミ本体の構成の中に含まれ有り、従って、鍋移しの機能性に関しては、何等、こだわる事も要せず、即く実行可能となり役立つようになっている。
【図面の簡単な説明】
【図１】本考案の形態機能を整えた鍋移しの一例を示す横正面図である。
【図２】正面横斜面図である。
【符合の説明】
１  鍋移し本体内側に面し湾曲の形態
２  本体根本幅広部
３  本体先端幅細部
４  本体全体に添う中凹み筋
５  本体及び、取手とを接続可能にする○穴
６  本体湾曲の外側面
７  本体湾曲部の凹凸の中高筋
８  プラスチックの取手
９  取手の中間の窪み、手のスベリ防止
１０  作業後の整理掛け穴
【図１】
0003131304.tif 000003
【図２】
0003131304.tif 000004
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
底辺に比べて充分に長い斜辺の二等辺三角形の頂部を、底辺に平行に且、底辺より短く切り取った上辺で形成される、細長い台形の薄い金属板の一方の面を内側にして底辺から上辺に向かって連続的に曲率半径を小さくして約９０度の範囲で湾曲した掻き寄せ部を有し、底辺から下方に約３０度外側に折り曲げた柄付け部に柄を設けたこと特徴とする蔬菜移し具。
【請求項２】
請求項１に記載の装置において、前記台形金属板掻き寄せ部に、上下長手方向の、補強のための凹み部を設けたことを特徴とする蔬菜移し具。
【請求項３】
請求項１及び２に記載の蔬菜移し具において、前記柄部の表面に、滑り止めを施したことを特徴とする蔬菜移し具。
【請求項４】
請求項１乃至３に記載の蔬菜移し具において、掻き寄せ部がアルミニュウム合金製であることを特徴とする蔬菜移し具。
【請求項５】
請求項１乃至４に記載の蔬菜移し具において、柄がプラスチック製であることを特徴とする蔬菜移し具。
【手続補正２】
【補正対象書類名】明細書
【補正対象項目名】全文
【補正方法】変更
【補正の内容】
【考案の詳細な説明】
【技術分野】
【０００１】  本考案は、調理用器具に関するものである。
【背景技術】
【０００２】  一般に、蔬菜類を煮炊きあるいは炒める等の調理の際、蔬菜を俎板の上で適当な大きさに切り揃えてから、鍋やフライパン又はバット等の容器に移す作業が頻繁に行われる。
この場合、切った蔬菜を包丁や菜箸または素手で、俎板から、容器のうえに掻き落とすのが一般的である。
この時、俎板上に散らばった、小さく切った蔬菜の一部が容器外にこぼれ落ちることがままある。こぼれ落ちた蔬菜は再度、洗ったり、水切りや下ごしらえをし直さなければならず、調理によっては手早く一気に行わなければ食感や風味が損なわれるものもあり、こぼさぬ様に速やかに移し替えるのは、なかなか厄介な作業である。特に切った後の蔬菜の形状によっては、俎板を傾けたとき、思わぬ方向に転がり落ちてしまうことがあり難しい。俎板上の複数種類の蔬菜を種類ごとに順次移すことは、更に難しい作業となる。
【考案が解決しようとする課題】
【０００３】本考案が解決しようとする課題は調理作業において、俎板上の切った蔬菜を別の調理器や容器に移す際に散らばって調理器や容器外にこぼれ出すことを防ぐことである。
【０００４】また、俎板上の切った複数種蔬菜を、他の容器や調理器に種類ごとに順次移すとき俎板を傾けると、同時に落ちて混ざり合ってしまう恐れがある。
【０００５】  また、俎板を傾けて相手容器に掻き落とすと、俎板上の蔬菜とともに不必要な水や汁が流れ込む不都合もある。
【０００６】  本考案の目的は、俎板上の切った蔬菜を調理器や他の容器（以下別容器）に移す際、俎板を傾けることなく、狙った蔬菜のみを、速やかに掻き移すことができる蔬菜移し具を提供することにある。
【０００７】さらに俎板に限らず一方の底が窪んだ容器から他方の容器に、速やかに狙った蔬菜等を纏めて容易に掻き出すことができる蔬菜移し具を提供することにある。
【課題を解決するための手段】
【０００８】  上記目的を達成するために、本考案の、第１の態様の蔬菜移し具は、細長い台形の金属板を柄付け部から先端に向かって連続的に曲率半径を小さくした湾曲した掻き寄せ部とし、柄付け部に約３０度外側に折り曲げた柄を設けた構成とすることができる。
【０００９】  本考案の、第２の態様の蔬菜移し具は、前記湾曲した掻き寄せ部に、上下長手方向の、補強のための凹み部のある構成とすることができる。
【００１０】  本考案の、第３の態様の蔬菜移し具は、柄部に滑り止めを施した構成とすることができる。
【００１１】  また、本考案の第４の態様によれば、湾曲した掻き寄せ部をアルミニュウム合金板とすることができる。
これにより、軽量で且つ耐熱性のある蔬菜移し具とすることができる。
【００１２】  また、本考案の第５の態様によれば、柄をプラスチック製とすることができる。これにより、軽量で且つ衛生的な蔬菜移し具とすることができる
【考案を実施するための最良の形態】
【００１３】  本考案の一実施の形態による蔬菜移し具について図面を用いて説明する。
本実施の形態の蔬菜移し具は、全体として、湾曲した箆状の外観を有している。なお、本実施の形態において、１は掻き寄せ部、２は柄部である。【００１４】    本実施の形態の蔬菜移し具について、その側面図を図１（ａ）に、正面図を図１（ｂ）に、湾曲加工前の掻き寄せ部の正面図を図２（ａ）に、湾曲加工前の掻き寄せ部の側面図を図２（ｂ）に示す。図２（ｃ）は上面図である。【００１５】図においてＡ点、Ｄ点は台形の短辺角部、Ｂ点、Ｃ点は台形の長辺角部である。以下説明の便宜上Ａ点，Ｂ点を通るＸ軸と辺ＡＤの中点と辺ＢＣの中点を通るＹ軸座標を仮定し原点０を通るＸ軸とＹ軸に直交するＺ軸を仮定して説明する。【００１６】縦に細長い台形金属板１０の底辺には柄取付け部１１があって、柄を固定する穴１２がある。台形金属板１０の中央に、補強のための隆起リブ１３があって強度を増している。【００１７】掻き寄せ部１は、台形金属板１０のＸ軸を起点にしてＸＹ面をＺ軸方向に曲率を徐々に小さくして底辺から先端にかけて、約９０度の範囲で一方に湾曲した形状である。
具体例としては、台形金属板の高さは１５０ｍｍ、底辺の幅は３０ｍｍ，先端部の幅は１２ｍｍ、金属板の板厚は１ｍｍ、湾曲の半径は底辺付近が１００ｍｍ、先端部が６０ｍｍ、隆起の高さ１ｍｍ程度が、扱い易いことが、試作品の使用試験で判っているが、必ずしもこれ等の値に限定されるものではない。【００１８】柄取付け部１１はＸ軸からＺ軸方向湾曲の外側に約３０度で折れ曲がり穴１２内のピンを介して柄２が固定されている。【００１９】柄２の表面には滑り止めの為の凹凸２２がある。【００２０】湾曲した掻き寄せ部１の辺ＡＢ，辺ＣＤのＸＹ平面への投影線は緩やかに湾曲した曲線ＡＢ，及び曲線ＣＤを描く。即ち辺ＡＢ，辺ＣＤ全体に接する平面はあり得ない。【００２１】湾曲した、辺ＡＢ又は辺ＣＤを平面に押し当て、Ｙ軸又はＺ軸周りに回転した場合、接点の位置と、平面に直交する面に投影した辺ＡＢ又は辺ＣＤの見かけの曲率半径が様々に変化する。
この事は、多様々な曲率半径の容器の内面や平面に近似的に接触することができる，優れた特性を発揮する。【００２２】掻き寄せ部１をアルミニュウム合金製とすることで加工が容易で軽く、衛生的な蔬菜移し具とすることができる。【００２３】柄をプラスチック製とすることで同じく加工が容易で軽く、衛生的な蔬菜移し具とすることができる。【００２４】  つぎに、本実施の形態の蔬菜移し具を用いて、調理を行う動作と効果について説明する。【００２５】俎板上で細かく切った蔬菜を調理器具や食器等他の容器に移す場合、俎板ごと他の容器の上方に水平に持ち、本考案の蔬菜移し具で俎板から掻き落とす。【００２６】あるいは細かく切った蔬菜を一方の容器から別の容器に移す場合に、本考案の蔬菜移し具で一方の容器から蔬菜を掻き出す。【００２７】掻き寄せ部１の側面は図１（ｂ）の曲線Ａ，Ｐ１，Ｂで示すごとく曲面であるため、俎板との接点以外の側面は俎板との間に隙間ができる。
掻き寄せ部の側面中央近くの点Ｐ１を俎板にあてがうと俎板の面は線イで示す如く、掻き寄せ部の広い範囲が俎板と僅か隙間を空けて沿う。
よって広い範囲の蔬菜を掻き移すことができる。
しかも俎板上の蔬菜は曲線Ａ，Ｐ１，Ｂの中央Ｐ１側に掻き寄せられるので散らばる事がない。
にもかかわらず、前記隙間により、俎板上の余分な水分や汁はそのまま俎板上に残すことができる。【００２８】掻き寄せ部の側面先端近くの点Ｐ２、またはＰ３、を俎板にあてがうと俎板の面は線ロ、または線ハで示す如く、掻き寄せ部の狭い範囲が俎板と僅かな隙間を空けて沿う。よって狭い範囲の蔬菜を掻き移すことができる。
このようにして、俎板上の蔬菜を選択して掻き寄せたり、掻き出したりできる。【００２９】先端部を接点とする使い方で口の小さな容器や底の深い容器内の蔬菜等も容易に掻き出すことができる。【００３０】以上考案の目的は充分に達成された。
【図面の簡単な説明】
【００３１】図１（ａ）は、本考案による実施形態の蔬菜移し具の側面図、図１（ｂ）はその正面図、図１（ｃ）は断面図である。
理解を容易にするためＸＹＺの座標軸を記入した。
図２（ａ）は湾曲加工前の掻き寄せ部の正面図、図２（ｂ）は側面図である。図２（ｃ）は上面図である。
【符号の説明】
【００３２】  １…掻き寄せ部、    ２…柄部、    １１…柄取付け部    １２…ピン穴、    １３…隆起リブ、    ２１…吊るし穴    ２２…凹凸
【手続補正３】
【補正対象書類名】図面
【補正対象項目名】全図
【補正方法】変更
【補正の内容】
【図１】
0003131304.tif 000005
【図２】
0003131304.tif 000006
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
底辺に比べて充分に長い斜辺の二等辺三角形の頂部を、底辺に平行に且、底辺より短く切り取った上辺で形成される、細長い台形の薄い金属板の一方の面を内側にして底辺から上辺に向かって連続的に曲率半径を小さくして約90度の範囲で湾曲した掻き寄せ部を有し、底辺から下方に約30度外側に折り曲げた柄付け部に柄を設けたこと特徴とする蔬菜移し具。
【請求項２】
請求項１に記載の蔬菜移し具において、前記台形金属板掻き寄せ部に、上下長手方向の、補強のための凹み部を設けたことを特徴とする蔬菜移し具。
【請求項３】
請求項１または２に記載の蔬菜移し具において、前記柄部の表面に、滑り止めを施したことを特徴とする蔬菜移し具。
【請求項４】
請求項１〜３のいずれか一項に記載の蔬菜移し具において、掻き寄せ部がアルミニュウム合金製であることを特徴とする蔬菜移し具。
【請求項５】
請求項１〜４のいずれか一項に記載の蔬菜移し具において、柄がプラスチック製であることを特徴とする蔬菜移し具。
【手続補正２】
【補正対象書類名】明細書
【補正対象項目名】００２０
【補正方法】変更
【補正の内容】
【００２０】
湾曲した掻き寄せ部１の辺AB,辺CDのＸＹ平面への投影線は緩やかに湾曲した曲線AB,及び曲線CDを描く。即ち辺AB,または辺CD全体に接する平面はあり得ない。